(57)【要約】      （修正有）【課題】帆立貝の一枚通し式の耳吊り養殖において、ロープに係止ピンを介して保持、係止させた帆立貝の反転性を高めることができ、帆立貝養殖における収穫量の向上を図ることができる係止ピンを提供する。【解決手段】軸部２の両端部に帆立貝の耳片に穿孔した耳吊り孔へ挿入する先部挿入部３，３を有し、軸部２の先部挿入部３，３の各軸内方部に円周方向に突出する一対の帆立貝係止部４，４を有し、軸部の長さ方向の中間部に周方向に突出するロープ抜止係止部５，５を有し、全一体に樹脂成形された帆立貝養殖用の係止ピン１を形成する。また、耳吊り孔は、帆立貝耳片の一枚側にのみ穿設され、係止ピンでこの掛止孔を介して耳吊りする一枚通し養殖に用いる係止ピンにおいて、係止ピン１の先部挿入部３の長さは、その先端部２ａから帆立貝係止部４の基部までの長さＬ１が、軸部全長Ｌに対し、０．０３倍〜０．０８倍とした。【選択図】図１
0003176776.tif 000002
【実用新案登録請求の範囲】
【請求項１】
軸部の両端部に帆立貝の耳片に穿孔した耳吊り孔へ挿入する先部挿入部を有し、軸部の先部挿入部の各軸内方部に円周方向に突出する一対の帆立貝係止部を有し、軸部の長さ方向の中間部に周方向に突出するロープ抜止係止部を有し、全一体に樹脂成形された帆立貝養殖用の係止ピンであって、前記耳吊り孔は、前記帆立貝耳片の一枚側にのみ穿設され、前記係止ピンでこの掛止孔を介して耳吊りする一枚通し養殖に用いる係止ピンにおいて、
前記係止ピンの先部挿入部の長さは、その先端部から帆立貝係止部の基部までの長さＬ１が、軸部全長Ｌに対し、０．０３倍〜０．０８倍である、
ことを特徴とする帆立貝養殖用の係止ピン。
【請求項２】
前記軸部の全長Ｌは６４mm〜６７mmであり、前記挿入部の長さＬ１は２mm〜５mmであることを特徴とする請求項１記載の帆立貝養殖用の係止ピン。
【考案の詳細な説明】
【技術分野】
【０００１】
本考案は、帆立貝の養殖に用いる係止ピンの改良に関するものである。
【背景技術】
【０００２】
帆立貝の養殖に際し、係止ピンをロープに通し、係止ピンの先端部に設けた係止部を帆立貝の稚貝の耳片に穿孔した耳吊り孔に通して係止し、海中にロープを垂らし、帆立貝を養殖する係止ピンは実用に供されている。
【先行技術文献】
【特許文献】
【０００３】
【特許文献１】特開２００３−０５２２７０号公報
【０００４】
図１５は、係止ピン単体の全体を示す図であり、係止ピン１００は、細長い軸部１０１の両端部に、尖鋭な先部の挿入部１０２，１０２を有し、この挿入部１０２，１０２の内方部位に、図では軸部の上方に突出する係止片１０３，１０３を備え、係止片１０３，１０３を帆立貝の耳吊り孔に挿入し、帆立貝を係止するものである。
【０００５】
また、軸部１０１の長さ方向中間部周には、係止片１０３，１０３と同方向で、径方向外方に突出するロープ抜止片１０４，１０４が突設されている。ロープ抜止片１０４，１０４は、ロープの中央位置にロープの外径と略々一致する間隔を開けて「ハ」字形に突設されている。
【０００６】
以上の係止ピン１００は、軸部１０１の全長Ｌが６４mm〜６７mmであり、先端部１０１ａ，１０１ａから係止片１０３，１０３の基部１０３ａ，１０３ａまでの長さＬ１が、例えば７mm〜１０mmであり、係止ピン１００の最も径が大きい軸部１０１の直径は、１．４〜１．８mmである。
【０００７】
帆立貝の耳吊り養殖においては、二枚通し耳吊りと、一枚通し耳吊りとがある。
二枚通し耳吊りは、表裏重なった二枚の殻の耳片を通して保持孔（耳吊り孔）を穿設し、二枚の耳片に係止ピンを通して係止片で係止する。
一方、一枚通し耳吊りは、耳片の一方の側部の一枚の部分に耳吊り孔（係止孔）を穿設し、一枚の耳片に係止ピンを通し、係止片で係止するものである。
ところで、帆立貝は二枚貝であり、殻が茶色に着色された側を左殻といい、殻が白色の側を右殻という。
【０００８】
ところで、図１６の（ａ）は、耳片１１１に穿設した耳吊り孔１１２に、係止ピン１００の先部１０２を挿入し、帆立貝１１０を耳吊りするように係止する一枚通し耳吊りを示している。
係止ピン１００は、ロープ１２０に直交するように穿設した保持孔１２１に通し、「ハ」字形のロープ抜止片１０４，１０４を保持孔１２１の周辺部外側に臨ませて係止ピン１００をロープ１２０に保持させる。
【０００９】
ロープ１２０の両側に延びる先部１０２に、帆立貝１１０の耳片１１１は、係止片１０３により耳吊り孔１１２を介して吊り下げ、係止される。
図１６の（ｂ）はこの状態を示し、係止ピン１００の係止片１０３の片側のみを示し、他側は省略したが、天秤のように両端部（両先部）で、２枚の帆立貝を夫々係止し、保持
している。
図１６（ｃ）は、図１６（ｂ）の矢視ｃ方向の図である。
【００１０】
ところで、上記したロープ１２０に係止ピン１００を介して帆立貝を、一枚通し耳吊り方式で養殖する一例を説明する。
ロープは、例えば径が６〜８mm、長さが例えば１０〜１５ｍのロープを用いる。
上記した通り、例えば６４〜７０mm長さの係止ピンを、１００〜１３０mmピッチで、ロープの長さ方向に直交する方向に貫通・保持させ、上記した通り係止ピンの両端部を、稚貝の左殻側の耳片のみに貫通させ（一枚通し耳吊り）、海中に縦向きにロープを吊り下げ、なされるものである。
従って、１本のロープに１００本以上の係止ピンを係止し、各係止ピンの先端部に稚貝を耳吊り係止する。
【００１１】
図１７は、一枚通し耳吊りによる帆立貝のロープ耳吊り養殖の説明図である。
ロープ１２０に貫通保持された係止ピン１００の両端部の先部１０２，１０２に、係止片１０３，１０３を介して帆立貝１１０，１１０がロープ１２０を挟んで左右に耳吊り係止され、海中に垂らされて養殖される。
【００１２】
帆立貝１１０，１１０は２枚の殻を備え、殻の内、表面の色彩が茶色の殻を前記した通り左殻１１０ａ，１１０ａと称し、白色の殻を右殻１１０ｂ，１１０ｂと称する。
図のように、茶色の左殻１１０ａ，１１０ａを外側に、白色の右殻１１０ｂ，１１０ｂを内側（ロープと対面する側）にし、外側を向く左殻の耳片部の側部側に係止ピン先端部を通して係止し、ロープに保持させる。
【考案の概要】
【考案が解決しようとする課題】
【００１３】
図１７の状態のままでは、耳吊りされた帆立貝１１０，１１０は、左殻１１０ａが外側で、右殻１１０ｂが内側である。
ところで、耳片の穿孔部は貝の成長とともに治癒作用により、耳吊り孔は殻の組織で塞がれ、帆立貝１１０，１１０に反転力が作用し、右殻が反転して外側となる。
【００１４】
帆立貝の反転に際し、従来の係止ピンでは、図１８に示すように、帆立貝１１０，１１０の一部が、ロープ１２０に当たるので、反転が阻害される。
実際には、養殖時に、海中においてロープを含む帆立貝は、波浪や潮流等で上下、左右に揺すられ、帆立貝とロープとの間に隙間が干渉しない程度に広がる場合もあり、例えば、５０％程度は反転し、８０％程度の収穫量を得ることができるが、より以上に反転性を高めることができる係止ピンの構造が求められる。
【００１５】
本考案は、帆立貝の一枚通し式の耳吊り養殖において、ロープに係止ピンを介して保持、係止させた帆立貝の反転性を高めることができ、延いては帆立貝養殖における収穫量の向上を図ることができる係止ピンを提供することを課題とする。
【課題を解決するための手段】
【００１６】
上記課題を解決するために、請求項１に係る考案は、軸部の両端部に帆立貝の耳片に穿孔した耳吊り孔へ挿入する先部挿入部を有し、軸部の先部挿入部の各軸内方部に円周方向に突出する一対の帆立貝係止部を有し、軸部の長さ方向の中間部に周方向に突出するロープ抜止係止部を有し、全一体に樹脂成形された帆立貝養殖用の係止ピンであって、前記耳吊り孔は、前記帆立貝耳片の一枚側にのみ穿設され、前記係止ピンでこの掛止孔を介して耳吊りする一枚通し養殖に用いる係止ピンにおいて、係止ピンの先部挿入部の長さは、その先端部から帆立貝係止部の基部までの長さＬ１が、軸部全長Ｌに対し、０．０３倍〜０．０８倍であることを特徴とする。
【００１７】
請求項１に係る考案は、ロープに刺通され、帆立貝を耳吊り係止する係止ピンにおいて、種々の条件から決定される係止ピンの長さに対し、帆立貝を耳吊りする係止片とロープまでの長さを大きくとることができる。
【００１８】
請求項２に係る考案は、請求項１において、軸部の全長Ｌは６４mm〜６７mmであり、挿入部の長さＬ１は２mm〜５mmであることを特徴とする。
【００１９】
請求項２に係る考案は、軸部の前記した全長Ｌ対し、挿入部は前記した長さＬ１なので、係止片からロープまでの長さを実用上反転に十分の長さとして確保することができる。
【考案の効果】
【００２０】
請求項１に係る考案では、耳片の一枚のみに係止ピンを通して一枚通し式に耳吊り養殖する帆立貝養殖用の係止ピンは、その先部挿入部の長さが、その先端から帆立貝係止部の基部までの長さＬ１が、軸部全長Ｌの０．０３〜０．０８倍なので、係止ピンの長さに対し、帆立貝を耳吊りする係止片とロープまでの長さを大きくとることができる。
これにより、一枚通し耳吊り養殖時に、帆立貝の左殻から右殻への反転が阻害されることなく円滑になされる。
これにより、左殻、右殻ともに十分の安定を得て、帆立貝養殖時の成長の促進、帆立貝養殖における収穫量の向上を図ることができる。
【００２１】
請求項２に係る考案では、軸部の全長Ｌは６４mm〜６７mmであり、挿入部の長さＬ１は２mm〜５mmとしたので、請求項１の効果に加えうるに、係止片からロープまでの長さを実用上反転に十分の長さとして確保することができ、帆立貝の左殻から右殻への円滑、確実な反転を確保し、帆立貝養殖の成長の促進、帆立貝養殖における収穫量の向上を実効させることができる。
【図面の簡単な説明】
【００２２】
【図１】本考案に係る係止ピンの全体を示す正面図である。
【図２】係止ピンのロール状成形品の正面図である。
【図３】帆立貝の一枚通し耳吊り養殖の要部を拡大した説明図である。
【図４】図３の矢視４方向の図である。
【図５】耳吊り養殖の要部背面斜視図である。
【図６】一枚通し耳吊り養殖における帆立貝反転の説明図で、（ａ）は図５の要部の拡大図、（ｂ）は耳吊り孔の治癒初期の説明図、（ｃ）は耳吊り孔の治癒が進行し、反転を開始した状態を示す説明図、（ｄ）は更に治癒が進行し、反転が進行する状態の図、（ｅ）は反転した状態の図である。
【図７】（ａ）は係止ピンの倒れ、反転作用を、図６とは反対側の左殻を正面側として示した図、（ｂ）は（ａ）の状態から帆立貝が更に成長した状態を示す図である。
【図８】耳吊り養殖における初期の状態を示す説明図である。
【図９】耳吊り養殖における反転開始時の説明図である。
【図１０】一枚通し耳吊り養殖における帆立貝の反転を説明する斜視図で、反転開始時の図である。
【図１１】図１１から反転が終了して、裏側（右殻）が外側を向いた状態の図である。
【図１２】一枚通し耳吊り養殖における帆立貝の反転を説明する全体説明図で、反転前の説明図である。
【図１３】帆立貝の反転時及び反転経過を説明する全体説明図である。
【図１４】本考案に係る係止ピンと従来例の係止ピントを対比させた図である。
【図１５】従来の係止ピンの全体を示す正面図である。
【図１６】係止ピンによる帆立貝の耳吊り係止を説明する図で、（ａ）は、耳片に係止ピンを挿入する図、（ｂ）は、ロープへの保持係止状態の要部の図、（ｃ）は（ｂ）の矢視ｃ方向の図である。
【図１７】帆立貝のロープへの保持係止状態の図である。
【図１８】帆立貝のロープへの保持係止状態の図で、耳吊り帆立貝の反転が阻害されている状態を説明する図である。
【考案を実施するための形態】
【００２３】
本考案の実施の形態を添付図に基づいて以下に説明する。なお、図面は符号の向きに見るものとする。
図１は、本考案に係る係止ピンの正面図で、係止ピン１は、細長い軸部２の両端部に、尖鋭な先部の挿入部３，３を有し、この挿入部３，３の内方部位に図の上方に帆立貝の耳吊り孔に挿入し、帆立貝を係止する係止片４，４を備える。
【００２４】
軸部２の長さ方向中間部周には、係止片４，４と同方向で、径方向外方に突出するロープ抜止片５，５が突設されている。
ロープ抜止片５，５は、ロープの中央位置にロープの外径と略々一致する間隔を開けて「ハ」字形に突設されている。
【００２５】
以上の係止ピン１は、軸部２の全長Ｌが、６４mm〜６７mmである。先端部２ａ，２ａから係止片４，４の基部４ａ，４ａまでの長さＬ１が、軸部全長Ｌに対し、０．０３倍〜０．０８倍である。
係止ピン１の軸部２の全長Ｌが６４mm〜６７mmの場合は、先端部２ａ，２ａから係止片４，４の基部４ａ，４ａまでの長さＬ１は、２mm〜５mmである。
【００２６】
図２は、ロール状成形品Ａの正面図で、ロール状成形品Ａは、係止ピンの単体を構成する成品部Ｂ…（…は多数を表す。以下同じ）と、この成品部Ｂ…の一端部に成品部Ｂと直交する方向に配置された直線帯状のランナ部Ｃと、このランナ部Ｃと各成品部Ｂ…とを繋ぐゲート部Ｄ…とからなる。ゲート部Ｄ…はランナ部Ｃから分岐して設けられている。
ランナ部Ｃは、成品部Ｂ…の一端側に実施例では一条設けられ、成品部Ｂ…をランナ部Ｄで切り離し、係止ピン１を得る。
【００２７】
以上のロール状成形品Ａは、樹脂で各部全一体に成形する。素材は、例えば、６６ナイロンを用いた。
６６ナイロンは、係止ピンとして用いた場合、帆立貝を係止して海中に侵浸した際、海中で水分を吸収し、これにより少し柔らかくなり、また、伸ばすと約３倍程度延伸するためである。
【００２８】
図３は、帆立貝の一枚通し耳吊り養殖の要部を拡大した説明図であり、図４は、図３の矢視４方向の図である。
係止ピン１は、ロープ２０に保持孔２１を介して刺通し、軸部２の中間部に設けた抜止片５，５間にロープ２０は臨み、ロープの径方向外方に突出した軸部の挿入部３の先端部２ａが帆立貝１０の耳片に挿入され、耳片を係止する。
【００２９】
帆立貝１０の左殻１１、右殻１２の耳片１１ａ、１２ａの一方、具体的は左殻１１の耳片１１ａの側部周辺部に耳吊り孔１３を穿設し、耳吊り孔１３に係止ピン１の挿入部３は挿入され、耳吊り孔１３を通過したところで係止部４は立ち上がり、耳片１１ａ外側の耳吊り孔１３周辺部に接触し、耳吊り孔からの抜脱を阻止する。
【００３０】
図５は、帆立貝の一枚通し耳吊り養殖の要部背面斜視図で、裏面側（右殻側）から見た図であり、右殻１２側の耳片１２ａの一側方部に凹部１２ｂが形成されており、この部分の左殻耳片１１ａの一側方部１１ｂに前記した耳吊り孔１３が穿設されており、係止ピン１の挿入部３が挿入され、係止部４により前記した要領で係止されている。
【００３１】
図６は、一枚通し耳吊り養殖における帆立貝反転の説明図で、（ａ）は図５の要部の拡大図、（ｂ）は耳吊り孔の治癒初期の説明図、（ｃ）は耳吊り孔の治癒が進行し、反転を開始した状態を示す説明図、（ｄ）は更に治癒が進行し、反転が進行する状態の図、（ｅ）は反転した状態の図である。
【００３２】
図６（ａ）は係止ピン１による係止初期の状態を示している。この状態では、左殻耳片１１ａの一方側部１１ｂの耳吊り孔（係止孔）１３は未だ塞がれていない。
図６（ｂ）は、耳吊り孔１３の治癒が開始された状態であり、耳吊り孔１３周辺部の組織が孔１３を塞ぐように増長し、孔周辺部１１ｃが治癒の進行で盛り上がってゆく。
【００３３】
図６（ｃ）は更に進行した状態で、治癒の進行で孔を塞ぐように作用し、新組織１１ｄが盛り上がり、新組織の１１ｄの盛り上がり圧力は、係止ピン１の軸部２の孔に臨む部分が固定側であることから、この部分を支点として倒れ、曲げる方向に働く。
図６の（ｄ）は、更に新組織１１ｄの盛り上がりが進行し、係止ピン１の軸部２が更に倒され、軸部２が反転した状態となり、帆立貝１０は左殻が裏側、右殻が外側になるように反転することとなる。
尚、軸部２の孔周辺部の部分２ｂは挿入部と平行になるように曲げられるように倒れ力は作用する。
【００３４】
図６の（ｅ）は、前記した軸部２の孔周辺部の部分２ｂを新組織１１ｄの成長で表面から全面的に覆い、孔１３から外側に突出した前記挿入部３、係止片４は、外側に露出している。
尚、図６の（ｄ）、（ｅ）では、２ｂで示した軸部２の周辺部分を挿入部３と平行となるように曲げて示したが、実際は帆立貝は吊り下げされているので、係止ピン１の軸部２は図６の（ｃ）のように上方に向かって曲げられる。
【００３５】
図７（ａ）は、倒れ作用を、前記した図６とは反対側の左殻１１を正面側として示した図であり、（ｂ）は帆立貝が更に成長した状態を示す図である。
図７（ａ）に示すように、反転した帆立貝１０は、係止ピン１の軸部２が倒れて折れ曲がりつつ帆立貝の重量により垂れ下がり、図のように上方を指向し、挿入部３及び係止片４は孔周辺部の表面に突出し、孔に臨む部分及び前記した部分２ｂは、新組織により塞がれつつ固着される。
【００３６】
図８は耳吊り養殖における初期の状態を示す説明図、図９は、反転開始時の説明図である。
図８に示したように、ロープ２０に係止ピン１を通し、両端の挿入部３，３を帆立貝１０，１０の左殻１１，１１の耳吊り孔に通し、一枚通しの耳吊り養殖を実施する。
【００３７】
図８の状態から、帆立貝の成長に伴い耳吊り孔周辺部の孔の治癒作用、新組織の生成、生長に伴って係止ピン１の挿入部の孔部分、孔の直後の部分を支点として係止ピンの軸部２に倒れ、曲がり作用が働き、図９のように帆立貝１０，１０には、外側の左殻１１、内側（ロープ側）の右殻が反転する力が作用し、帆立貝は表裏が反転する。
反転に際し、本考案に係る係止ピンでは、反転する帆立貝１０，１０とロープ２０との間に隙間（Ｓ）が確保され、ロープ２０と帆立貝１０，１０とは接触が可及的に防止される。
【００３８】
図１０及び図１１は、上記した一枚通し耳吊り養殖における帆立貝の反転を説明する斜視図で、図１０に示すように帆立貝１０には図１０の矢印Ａの倒れ、曲がり力が作用し、経時的に順次倒れ、曲がり動は継続し、図１０の左殻１１が外側で右殻１２がロープ側である状態から、図１１に示すように左殻１１がロープ側となり、右殻１２が外側を向くように反転する。
これにより、帆立貝は表裏面（左右殻）の夫々が安定を得ることができ、成長が円滑になされ、成長が促進され、収穫期に品質の良い帆立貝を得ることができる。
【００３９】
図１２及び図１３は、一枚通し耳吊り養殖における帆立貝の反転を説明する全体説明図で、図１２に示すように海中３０に垂らされたロープ２０に、多数、径が６〜８mm、長さが１０〜１５ｍのロープを海中に縦向きにロープを垂らし、ロープに１００〜１３０mmピッチで係止ピン１…を刺通し、係止ピン1…の両端部に帆立貝１０…が耳吊り養殖される。
図１２は、耳吊り養殖の初期の状態を示し、図１３は反転が終了した状態を示し、一部のものを反転途中の状態として示した。
【００４０】
図１４は、本考案に係る係止ピンと、従来例とを比較した図で、（ａ）は本考案に係る係止ピン、（ｂ）は従来例に係る係止ピンである。
本考案に係る係止ピンでは、挿入部の長さＬ１が軸部全長Ｌに対して０．０３倍〜０．０８倍である。
具体的には、軸部の全長Ｌは６４mm〜６７mmであり、挿入部の長さＬ１は２mm〜５mmである。
一方、従来例に係る係止ピンは、挿入部の長さＬ１が軸部全長Ｌに対して０．１倍〜０．１５倍である。
具体的には、全長Ｌが、６４mm〜６７mmであり、挿入部の長さＬ１が、７mm〜１０mmである。
【００４１】
次に本考案と従来例との比較を表１及び表２に基づいて説明する。
【００４２】
【表１】
0003176776.tif 000003
【００４３】
表１に示すように、
（１）試料１
全長Ｌが６３mmの試料１の係止ピンは、一枚通し耳吊り養殖に際し、反転時に成貝がロープに接触し、評価は×であった。
（２）試料２
全長Ｌが６５mmの試料２の係止ピンは、反転時に成貝がロープに接触することがなく良好であり、評価は○であった。
（３）試料３
全長Ｌが６７mmの試料３の係止ピンは、反転時に成貝がロープに接触することがなく良好であり、評価は○であった。
（４）試料０４
全長Ｌが６９mmの試料４の係止ピンは、材料費が嵩み、評価は×であった。
【００４４】
【表２】
0003176776.tif 000004
【００４５】
表２に示すように、
（５）試料０５
全長Ｌが６６mm、挿入部の長さが１mmの試料０５は、耳吊り孔の保持性において、長さ不足のため係止が困難であり、評価としては×であり、帆立貝の左殻から右殻への反転率は９５％であり、評価は○であったが、総合評価は×であった。
ちなみに、Ｌ１／Ｌは０．０２であった。
（６）試料０６
全長Ｌが６４mm、挿入部の長さが２mmで、保持性は良好であり、評価は○であり、反転率は８２％であり、総合評価は○であった。
ちなみに、Ｌ１／Ｌは０．０３であった。
（７）試料０７
全長Ｌが６５mm、挿入部の長さが５mmで、保持性は良好であり、評価は○であり、反転率は７８％であり、総合評価は○であった。
ちなみに、Ｌ１／Ｌは０．０８であった。
（８）試料０８
全長Ｌが６７mm、挿入部の長さが２mmで、保持性は良好であり、評価は○であり、反転率は９２％であり、総合評価は○であった。
ちなみに、Ｌ１／Ｌは０．０３であった。
（９）試料０９
全長Ｌが６７mm、挿入部の長さが５mmで、保持性は良好であり、評価は○であり、反転率は８１％であり、総合評価は○であった。
ちなみに、Ｌ１／Ｌは０．０８であった。
（１０）試料１０
全長Ｌが６４mm、挿入部の長さが７mmで、保持性は良好であり、評価は○であったが、反転率は５４％であり、総合評価は×であった。
ちなみに、Ｌ１／Ｌは０．１であった。
（１１）試料１１
全長Ｌが６７mm、挿入部の長さが１０mmで、保持性は良好であり、評価は○であり、反転率は４９％であり、総合評価は×であった。
ちなみに、Ｌ１／Ｌは０．１５であった。
【００４６】
以上の検証から明らかなように、係止ピンの先部挿入部の長さは、その先端から帆立貝係止部の基部までの長さＬ１が、軸部全長Ｌに対し、０．０３倍〜０．０８倍が好ましいことが立証された。
また、具体的には、軸部の全長Ｌは６４mm〜６７mmであり、挿入部の長さＬ１は２mm〜５mmであることが好ましいことが立証された。
【００４７】
以上の実施例では、帆立貝係止片は軸部の径方向外方に「∠」形に突出した例で示したが、軸部の径方向外方に、対称的に突出する「＜」形の構造でも良い。
【産業上の利用可能性】
【００４８】
本考案は、一枚通し耳吊り式の帆立貝の養殖に利用することができる。
【符号の説明】
【００４９】
１…係止ピン、  ２…軸部、  ２ａ…先端部、  ３…挿入部、  ４…帆立貝係止部、  ５…ロープ抜止係止部、  Ｌ…係止ピン軸部の全長、  Ｌ１…先端部から帆立貝係止部の基部までの長さ。
【図１】
0003176776.tif 000005
【図２】
0003176776.tif 000006
【図３】
0003176776.tif 000007
【図４】
0003176776.tif 000008
【図５】
0003176776.tif 000009
【図６】
0003176776.tif 000010
【図７】
0003176776.tif 000011
【図８】
0003176776.tif 000012
【図９】
0003176776.tif 000013
【図１０】
0003176776.tif 000014
【図１１】
0003176776.tif 000015
【図１２】
0003176776.tif 000016
【図１３】
0003176776.tif 000017
【図１４】
0003176776.tif 000018
【図１５】
0003176776.tif 000019
【図１６】
0003176776.tif 000020
【図１７】
0003176776.tif 000021
【図１８】
0003176776.tif 000022